(57)【要約】【課題】画像の隙間をより小さくするとともに、画面の近傍から聞き取りやすい音声を出力する。【解決手段】スピーカユニット５１は、画像を表示する表示面の後側に、前向きに配置される。スピーカユニット５１が固定されるバッフル板５２は、スピーカユニット５１を挟む両側の端部のうち、一方の端部が表示面の裏面に接し、他方の端部が表示面の端部との間に開口部５５を形成するように、表示面に対し所定の角度で配置される。上蓋５３は、開口部５５を形成するとともに、表示面の裏面とバッフル板５２とに接し、表示面の裏面とバッフル板５２との間の空間を仕切る１つの面を閉じる。下蓋５４は、開口部５５を形成するとともに、表示面の裏面とバッフル板５２とに接し、空間を仕切る面のうち、上蓋５３で閉じられる面に対向する面を閉じる。本発明は、画像を表示するモニタ装置に適用できる。【選択図】図７
2007110583.tif 000002
【特許請求の範囲】
【請求項１】
同じ向きに左右または上下に並べて配列される表示装置において、
画像を表示する表示面の後側に、前向きに配置されるスピーカユニットと、
前記スピーカユニットが固定され、前記スピーカユニットを挟む両側の端部のうち、一方の端部が前記表示面の裏面に接し、他方の端部が前記表示面の端部との間に開口部を形成するように、前記表示面に対し所定の角度で配置されるバッフル板と、
前記開口部を形成するとともに、前記表示面の裏面と前記バッフル板とに接し、前記表示面の裏面と前記バッフル板との間の空間を仕切る１つの面を閉じる第１の蓋と、
前記開口部を形成するとともに、前記表示面の裏面と前記バッフル板とに接し、前記空間を仕切る面のうち、前記第１の蓋で閉じられる面に対向する面を閉じる第２の蓋と
を備える表示装置。
【請求項２】
前記スピーカユニットは、隣接する前記他の表示装置の対向するスピーカユニットと同じ音声を出力する
請求項１に記載の表示装置。
【請求項３】
前記第１の蓋および前記第２の蓋は、前記スピーカユニットからの音声の出力方向に平行する面を閉じる
請求項１に記載の表示装置。
【請求項４】
前記開口部は、前記表示面に対して横向きに開口する
請求項１に記載の表示装置。
【請求項５】
前記スピーカユニット、前記バッフル板、前記第１の蓋、および前記第２の蓋は、前記表示面の後ろ側の四隅のいずれかに設けられる
請求項１に記載の表示装置。
【請求項６】
前記スピーカユニットの背面に、閉じられた空間が設けられている
請求項１に記載の表示装置。
【請求項７】
他の表示装置から供給された音声信号を取得する取得手段と、
前記他の表示装置から供給された音声信号または自分の音声信号のうち、前記スピーカユニットに音声を出力させるための音声信号を選択する選択手段と
をさらに備える請求項１に記載の表示装置。
【請求項８】
前記選択手段は、前記スピーカユニットに音声を出力させるための音声信号として、前記他の表示装置のスピーカユニットのうち、自分に近い側のスピーカユニットに音声を出力させるための音声信号を選択する
請求項７に記載の表示装置。
【請求項９】
同じ向きに左右または上下に並べて配列される表示装置に装着されるスピーカにおいて、
前向きに前記スピーカユニットを固定するとともに、前記スピーカユニットを挟む両側の端部のうち、一方の端部が前記表示装置の裏面に接し、他方の端部が前記表示装置の端部との間に開口部を形成するように、前記表示装置の裏面に対し所定の角度で配置されるバッフル板と、
前記開口部を形成するとともに、前記表示装置の裏面と前記バッフル板とに接し、前記表示装置の裏面と前記バッフル板との間の空間を仕切る１つの面を閉じる第１の蓋と、
前記開口部を形成するとともに、前記表示装置の裏面と前記バッフル板とに接し、前記空間を仕切る面のうち、前記第１の蓋で閉じられる面に対向する面を閉じる第２の蓋と
を備えるスピーカ。
【発明の詳細な説明】
【技術分野】
【０００１】
本発明は表示装置およびスピーカに関し、特に、同じ向きに左右または上下に並べられる表示装置およびスピーカに関する。
【背景技術】
【０００２】
薄型のテレビジョン受像機のスピーカは、図１で示されるように、表示画面の下側に設けられるか、または表示画面の横に設けられることが多い。
【０００３】
近年、テレビジョン受像機を同じ向きに左右または上下に並べて、これらのテレビジョン受像機に、それぞれ個別の画像を表示させるだけでなく、全体として、１つの画像を拡大して表示させたり、所望の大きさで画像を分割して表示させたりする技術が利用されるようになってきた。
【０００４】
従来は、親機としてのテレビジョン受像機で、テレビジョン放送番組が表示されている場合、親機に表示された画像データにシーンチェンジが生じると、そのシーンチェンジ直後のフレームの画像データが、子機としてのテレビジョン受像機で表示され、その後、さらに、親機に表示された画像データにシーンチェンジが生じると、そのシーンチェンジ直後のフレームの画像データが、子機において、いままで表示されていた画像データに代えて表示されるようにしているものもある（例えば、特許文献１参照）。
【０００５】
【特許文献１】特開２００４−２８９８６６号公報
【発明の開示】
【発明が解決しようとする課題】
【０００６】
しかしながら、表示画面の横にまたは下側にスピーカが設けられたテレビジョン受像機を同じ向きに左右または上下に並べて、全体として、１つの画像を表示させようとすると、図２で示されるように、スピーカの幅の分だけ画像の隙間が空いてしまい、この隙間が画像の視聴の妨げになる。
【０００７】
スピーカをテレビジョン受像機から取り外しできるようにすることも考えられるが、スピーカを取り外してしまうと、音声が聞こえなくなってしまう。
【０００８】
テレビジョン受像機と別体にスピーカを設けるようにすると、画像から離れた位置から音声が聞こえるようになる。
【０００９】
また、単純に、スピーカをテレビジョン受像機の背後に配置すると、テレビジョン受像機の隙間から音声を出すことはできるが、音量が小さくなってしまい、表示されている画像を視聴している位置からは音声が聞こえにくくなる。
【００１０】
さらに、スピーカを背後に配置したテレビジョン受像機を相互に隣接させると、スピーカが対向することになる。この状態で、対向するスピーカの一方だけから音声を出力させると、両方のスピーカから音声を出力する場合に比較して音量が半分になり、また、対向するスピーカの双方にステレオの音声をそれぞれ出力させると、音声の位相やレベルが異なるので、打ち消し合って音量が小さくなってしまう。
【００１１】
このように、画像の隙間をより小さくすると、音声が聞き取りにくくなってしまう。
【００１２】
本発明は、このような状況に鑑みてなされたものであり、画像の隙間をより小さくするとともに、画面の近傍から聞き取りやすい音声を出力することができるようにするものである。
【課題を解決するための手段】
【００１３】
本発明の第１の側面の表示装置は、同じ向きに左右または上下に並べて配列される表示装置であって、画像を表示する表示面の後側に、前向きに配置されるスピーカユニットと、前記スピーカユニットが固定され、前記スピーカユニットを挟む両側の端部のうち、一方の端部が前記表示面の裏面に接し、他方の端部が前記表示面の端部との間に開口部を形成するように、前記表示面に対し所定の角度で配置されるバッフル板と、前記開口部を形成するとともに、前記表示面の裏面と前記バッフル板とに接し、前記表示面の裏面と前記バッフル板との間の空間を仕切る１つの面を閉じる第１の蓋と、前記開口部を形成するとともに、前記表示面の裏面と前記バッフル板とに接し、前記空間を仕切る面のうち、前記第１の蓋で閉じられる面に対向する面を閉じる第２の蓋とを備える。
【００１４】
前記スピーカユニットは、隣接する前記他の表示装置の対向するスピーカユニットと同じ音声を出力することができる。
【００１５】
前記第１の蓋および前記第２の蓋は、前記スピーカユニットからの音声の出力方向に平行する面を閉じることができる。
【００１６】
前記開口部は、前記表示面に対して横向きに開口することができる。
【００１７】
前記スピーカユニット、前記バッフル板、前記第１の蓋、および前記第２の蓋は、前記表示面の後ろ側の四隅のいずれかに設けることができる。
【００１８】
前記スピーカユニットの背面に、閉じられた空間を設けることができる。
【００１９】
表示装置に、他の表示装置から供給された音声信号を取得する取得手段と、前記他の表示装置から供給された音声信号または自分の音声信号のうち、前記スピーカユニットに音声を出力させるための音声信号を選択する選択手段とをさらに設けることができる。
【００２０】
前記選択手段は、前記スピーカユニットに音声を出力させるための音声信号として、前記他の表示装置のスピーカユニットのうち、自分に近い側のスピーカユニットに音声を出力させるための音声信号を選択することかできる。
【００２１】
本発明の第２の側面のスピーカは、同じ向きに左右または上下に並べて配列される表示装置に装着されるスピーカであって、前向きに前記スピーカユニットを固定するとともに、前記スピーカユニットを挟む両側の端部のうち、一方の端部が前記表示装置の裏面に接し、他方の端部が前記表示装置の端部との間に開口部を形成するように、前記表示装置の裏面に対し所定の角度で配置されるバッフル板と、前記開口部を形成するとともに、前記表示装置の裏面と前記バッフル板とに接し、前記表示装置の裏面と前記バッフル板との間の空間を仕切る１つの面を閉じる第１の蓋と、前記開口部を形成するとともに、前記表示装置の裏面と前記バッフル板とに接し、前記空間を仕切る面のうち、前記第１の蓋で閉じられる面に対向する面を閉じる第２の蓋とを備える。
【００２２】
本発明の第１の側面において、スピーカユニットが、画像を表示する表示面の後側に、前向きに配置され、バッフル板が、前記スピーカユニットを固定し、前記スピーカユニットを挟む両側の端部のうち、一方の端部が前記表示面の裏面に接し、他方の端部が前記表示面の端部との間に開口部を形成するように、前記表示面に対し所定の角度で配置され、第１の蓋が、前記開口部を形成するとともに、前記表示面の裏面と前記バッフル板とに接し、前記表示面の裏面と前記バッフル板との間の空間を仕切る１つの面を閉じ、第２の蓋が、前記開口部を形成するとともに、前記表示面の裏面と前記バッフル板とに接し、前記空間を仕切る面のうち、前記第１の蓋で閉じられる面に対向する面を閉じる。
【００２３】
本発明の第２の側面において、バッフル板が、前向きに前記スピーカユニットを固定するとともに、前記スピーカユニットを挟む両側の端部のうち、一方の端部が前記表示装置の裏面に接し、他方の端部が前記表示装置の端部との間に開口部を形成するように、前記表示装置の裏面に対し所定の角度で配置され、第１の蓋が、前記開口部を形成するとともに、前記表示装置の裏面と前記バッフル板とに接し、前記表示装置の裏面と前記バッフル板との間の空間を仕切る１つの面を閉じ、第２の蓋が、前記開口部を形成するとともに、前記表示装置の裏面と前記バッフル板とに接し、前記空間を仕切る面のうち、前記第１の蓋で閉じられる面に対向する面を閉じる。
【発明の効果】
【００２４】
以上のように、本発明の第１の側面によれば、音声を出力することができる。
【００２５】
また、本発明の第１の側面によれば、画像の隙間をより小さくするとともに、画面の近傍から聞き取りやすい音声を出力することができる。
【００２６】
本発明の第２の側面によれば、音声を出力することができる。
【００２７】
また、本発明の第２の側面によれば、画像の隙間をより小さくするとともに、画面の近傍から聞き取りやすい音声を出力することができる。
【発明を実施するための最良の形態】
【００２８】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
本発明の第１の側面の表示装置は、第１に、画像を表示する表示面の後側に、前向きに配置されるスピーカユニット（例えば、図７のスピーカユニット５１）と、前記スピーカユニットが固定され、前記スピーカユニットを挟む両側の端部のうち、一方の端部が前記表示面の裏面に接し、他方の端部が前記表示面の端部との間に開口部（例えば、図７の開口部５５）を形成するように、前記表示面に対し所定の角度で配置されるバッフル板（例えば、図７のバッフル板５２）と、前記開口部を形成するとともに、前記表示面の裏面と前記バッフル板とに接し、前記表示面の裏面と前記バッフル板との間の空間を仕切る１つの面を閉じる第１の蓋（例えば、図７の上蓋５３）と、前記開口部を形成するとともに、前記表示面の裏面と前記バッフル板とに接し、前記空間を仕切る面のうち、前記第１の蓋で閉じられる面に対向する面を閉じる第２の蓋（例えば、図７の下蓋５４）とを備える。
【００３０】
本発明の第１の側面の表示装置は、第２に、他の表示装置から供給された音声信号を取得する取得手段（例えば、図１２のモニタ間接続インターフェース９３）と、前記他の表示装置から供給された音声信号または自分の音声信号のうち、前記スピーカユニットに音声を出力させるための音声信号を選択する選択手段（例えば、図１２のセレクタ９２）とをさらに備える。
【００３１】
本発明の第２の側面のスピーカは、前向きに前記スピーカユニット（例えば、図７のスピーカユニット５１）を固定するとともに、前記スピーカユニットを挟む両側の端部のうち、一方の端部が表示装置の裏面に接し、他方の端部が前記表示装置の端部との間に開口部（例えば、図７の開口部５５）を形成するように、前記表示装置の裏面に対し所定の角度で配置されるバッフル板（例えば、図７のバッフル板５２）と、前記開口部を形成するとともに、前記表示装置の裏面と前記バッフル板とに接し、前記表示装置の裏面と前記バッフル板との間の空間を仕切る１つの面を閉じる第１の蓋（例えば、図７の上蓋５３）と、前記開口部を形成するとともに、前記表示装置の裏面と前記バッフル板とに接し、前記空間を仕切る面のうち、前記第１の蓋で閉じられる面に対向する面を閉じる第２の蓋（例えば、図７の下蓋５４）とを備える。
【００３２】
図３は、本発明の一実施の形態のモニタ装置が配列された状態を示す図である。表示装置の一例であるモニタ装置１１−１乃至１１−９は、図３で示されるように、横に３行、縦に３列に配置される。すなわち、モニタ装置１１−１乃至１１−３は、左から順に、同じ高さで横に相互に隣接し、正面を向いて配列される。
【００３３】
モニタ装置１１−４乃至１１−６は、モニタ装置１１−１乃至１１−３の下に、左から順に、同じ高さで相互に隣接し、正面を向いて配列される。また、モニタ装置１１−７乃至１１−９は、モニタ装置１１−４乃至１１−６の下に、左から順に、同じ高さで相互に隣接し、正面を向いて配列される。
【００３４】
言い換えれば、モニタ装置１１−１乃至１１−３が順に横１行に並べられ、モニタ装置１１−４乃至１１−６が順に横１行に並べられ、モニタ装置１１−７乃至１１−９が順に横１行に並べられると共に、モニタ装置１１−１、モニタ装置１１−４、およびモニタ装置１１−７が順に縦１列に並べられ、モニタ装置１１−２、モニタ装置１１−５、およびモニタ装置１１−８が順に縦１列に並べられ、モニタ装置１１−３、モニタ装置１１−６、およびモニタ装置１１−９が順に縦１列に並べられる。
【００３５】
モニタ装置１１−１乃至１１−９は、それぞれ個別の画像を表示したり、全体として、１つの画像を拡大して表示したり、所望の大きさで画像を分割して表示させたりする。
【００３６】
モニタ装置１１−１乃至１１−９は、表示している画像のうち、１つの画像の音声を出力する。
【００３７】
以下、モニタ装置１１−１乃至１１−９を個々に区別する必要がないとき、単位に、モニタ装置１１と称する。
【００３８】
次に、モニタ装置１１の構造について説明する。
【００３９】
図４は、モニタ装置１１の裏面図であり、図５は、モニタ装置１１の上面図であり、図６は、モニタ装置１１の側面図である。
【００４０】
スピーカ３１−１乃至スピーカ３１−４は、画像を表示する表示面の後側に、前向きに配置される。すなわち、スピーカ３１−１乃至スピーカ３１−４は、モニタ装置１１の前方に出力される音が放射されるように表示面の後側に配置される。
【００４１】
モニタ装置１１を裏面側から見て、スピーカ３１−１は、モニタ装置１１の裏面の右上に設けられ、スピーカ３１−２は、モニタ装置１１の裏面の右下に設けられる。モニタ装置１１を裏面側からみて、スピーカ３１−３は、モニタ装置１１の裏面の左上に設けられ、スピーカ３１−４は、モニタ装置１１の裏面の左下に設けられる。
【００４２】
より詳細には、図５で示されるように、モニタ装置１１を上からみると、スピーカ３１−１から放射される音声の伝搬方向（矢印で示す方向）が、モニタ装置１１の表示面の法線に対して、時計方向に所定の角度だけ傾き、また、図６で示されるように、モニタ装置１１を側面からみると、スピーカ３１−１から放射される音声の伝搬方向（矢印で示す方向）が、モニタ装置１１の表示面の法線と平行になるように、スピーカ３１−１は、モニタ装置１１に設けられている。
【００４３】
同様に、モニタ装置１１を上からみると、スピーカ３１−２から放射される音声の伝搬方向が、モニタ装置１１の表示面の法線に対して、時計方向に所定の角度（スピーカ３１−１の角度と同じ角度）だけ傾き、また、図６で示されるように、モニタ装置１１を側面からみると、スピーカ３１−２から放射される音声の伝搬方向が、モニタ装置１１の表示面の法線と平行になるように、スピーカ３１−２は、モニタ装置１１に設けられている。
【００４４】
すなわち、スピーカ３１−１およびスピーカ３１−２からの音声は、モニタ装置１１を正面から見た場合の、左側の縦の端部から、斜め前方に放射される。
【００４５】
また、図５で示されるように、モニタ装置１１を上からみると、スピーカ３１−３から放射される音声の伝搬方向が、モニタ装置１１の表示面の法線に対して、反時計方向に所定の角度（モニタ装置１１の表示面の法線に対するスピーカ３１−１の角度と向きが異なり傾きが同じ（絶対値が同じで符号が異なる）角度）だけ傾き、また、モニタ装置１１を側面からみると、スピーカ３１−３から放射される音声の伝搬方向が、モニタ装置１１の表示面の法線と平行になるように、スピーカ３１−３は、モニタ装置１１に設けられている。
【００４６】
さらに、モニタ装置１１を上からみると、スピーカ３１−４から放射される音声の伝搬方向が、モニタ装置１１の表示面の法線に対して、反時計方向に所定の角度（スピーカ３１−３の角度と同じ角度）だけ傾き、また、モニタ装置１１を側面からみると、スピーカ３１−４から放射される音声の伝搬方向が、モニタ装置１１の表示面の法線と平行になるように、スピーカ３１−４は、モニタ装置１１に設けられている。
【００４７】
すなわち、スピーカ３１−３およびスピーカ３１−４からの音声は、モニタ装置１１を正面から見た場合の、右側の縦の端部から、斜め前方に放射される。
【００４８】
なお、モニタ装置１１とスピーカ３１−１乃至スピーカ３１−４とがなす角度は、任意の角度とすることができ、本発明を限定するものではない。
【００４９】
以下、スピーカ３１−１乃至スピーカ３１−４を個々に区別する必要がないとき、単に、スピーカ３１と称する。
【００５０】
図７は、スピーカ３１−１の構造を説明する図である。スピーカ３１−１は、スピーカユニット５１、バッフル板５２、上蓋５３、下蓋５４、および内横蓋５６で構成される。
【００５１】
スピーカユニット５１は、ダイナミック型のスピーカユニットであり、音声を出力する。
【００５２】
なお、スピーカユニット５１の方式は、本発明を特定するものではなく、圧電型またはコンデンサ型など他の方式であってもよく、また、その振動板の形状もコーン型、ドーム型、またはリング型などいずれてあってもよい。
【００５３】
バッフル板５２には、スピーカユニット５１が固定される。バッフル板５２は、例えば、MDF（Medium Density Fiberboard）などの木材、樹脂、または金属などスピーカのエンクロージャーに適した素材で四角形に形成される。バッフル板５２の縦の端部の一方の全体が、モニタ装置１１の表示面の裏面に接し、バッフル板５２の縦の端部の他方が、モニタ装置１１の表示面の端部に対して平行に離れるように、バッフル板５２は、モニタ装置１１に対して斜めに配置される。
【００５４】
言い換えれば、スピーカユニット５１を挟むバッフル板５２の縦の両側の端部のうち、一方の端部がモニタ装置１１の表示面の裏面に接し、他方の端部がモニタ装置１１の表示面の端部から離れるように、モニタ装置１１の表示面に対し所定の角度でバッフル板５２は配置される。
【００５５】
上蓋５３および下蓋５４は、バッフル板５２と同様の素材で四角形に形成され、バッフル板５２および表示面に対して直交するように配置される。
【００５６】
上蓋５３は、表示面の裏面とバッフル板５２とに上から接し、スピーカユニット５１の前面の空間である、表示面の裏面とバッフル板５２の前側との間の空間を上から閉じる。下蓋５４は、表示面の裏面とバッフル板５２とに下から接し、スピーカユニット５１の前面の空間である、表示面の裏面とバッフル板５２の前側との間の空間を下から閉じる。
【００５７】
スピーカユニット５１の前面の空間である、表示面の裏面とバッフル板の前側との間の空間の面のうち、スピーカユニット５１から放射される音声の伝搬方向に位置する面は、開口している開口部５５として形成される。すなわち、例えば、モニタ装置１１の表示面の縦の端部と、これから離れたバッフル板５２の縦の端部と、上蓋５３の端部と、下蓋５４の端部とで囲まれて開口部５５が形成される。
【００５８】
他のモニタ装置１１と隣接して配置された場合、他のモニタ装置１１の開口部５５との隙間がより小さくなるように、開口部５５は形成される。例えば、開口部５５は、モニタ装置１１の側面の端部の一部分の直線をモニタ装置１１の表示面と直交する方向に平行移動させてなる面と一致するように形成される。
【００５９】
内横蓋５６は、開口部５５と逆側の上蓋５３および下蓋５４の端部に接する。すなわち、バッフル板５２の裏側と、上蓋５３と、下蓋５４とで囲まれる空間が、内横蓋５６で横方向から閉じられる。これにより、開口部５５に対して直交する開口部５７が、バッフル板５２の縦の端部と、上蓋５３の端部と、下蓋５４の端部と、内横蓋５６とで囲まれて形成される。
【００６０】
さらに、図８で示されるように、開口部５７は、モニタ装置１１に内蔵されている基板７１などと共に、モニタ装置１１の裏面に設けられるカバー７２で閉じられる。このようにすることで、スピーカユニット５１の背面から放射される音声の伝達を遮断すると共に、スピーカユニット５１の背面に振動板の振動を妨げない容積を確保することができる。
【００６１】
なお、スピーカ３１−２乃至スピーカ３１−４は、スピーカ３１−１と同様に構成されるので、その説明は省略する。
【００６２】
また、開口部５５がモニタ装置１１に対して横向きになるようにスピーカ３１−１乃至スピーカ３１−４が構成されると説明したが、開口部５５がモニタ装置１１に対して上向きまたは下向きになるようにスピーカ３１−１乃至スピーカ３１−４を構成するようにしてもよい。
【００６３】
なお、開口部５５または開口部５７に、サランネットまたはパンチングメタルを設けるようにしてもよい。
【００６４】
さらに、スピーカユニット５１の振動板の動きを妨げないようにするために、カバー７２を省略して、開口部５７を開放するようにしてもよい。
【００６５】
なお、バッフル板５２、上蓋５３、下蓋５４、および内横蓋５６は、曲面をなすように形成するようにしてもよい。
【００６６】
図９および図１０を参照して、横に隣接するように並べられた複数のモニタ装置１１の音声の出力を説明する。
【００６７】
図９は、横に隣接するように並べられた複数のモニタ装置１１のうちの、モニタ装置１１−ｎとモニタ装置１１−（ｎ＋１）とを示す図である。
【００６８】
以下、モニタ装置１１−ｎのスピーカ３１−１およびスピーカ３１−３を、それぞれ、スピーカ３１−１−ｎおよびスピーカ３１−３−ｎと称し、モニタ装置１１−（ｎ＋１）のスピーカ３１−１およびスピーカ３１−３を、それぞれ、スピーカ３１−１−（ｎ＋１）およびスピーカ３１−３−（ｎ＋１）と称する。スピーカ３１の構成にも、同様の符号を付して、区別することとする。
【００６９】
モニタ装置１１−ｎとモニタ装置１１−（ｎ＋１）とが、隙間ｗだけ離れて、横に隣接するように並べられると、スピーカ３１−３−ｎとスピーカ３１−１−（ｎ＋１）とが対向するように配置される。スピーカ３１−３−ｎから放射される音声の伝搬方向と、スピーカ３１−１−（ｎ＋１）から放射される音声の伝搬方向とは、交わることになる。
【００７０】
図１０で示されるように、開口部５５−３−ｎの位置と開口部５５−１−（ｎ＋１）の位置とは、隙間ｗだけ離れて、一致する。例えば、隙間ｗは、数mm程度とされる。
【００７１】
スピーカユニット５１−３−ｎの前面の、バッフル板５２−３−ｎ、上蓋５３−３−ｎ、下蓋５４−３−ｎ、およびモニタ装置１１−ｎの裏面で仕切られる空間と、スピーカユニット５１−１−（ｎ＋１）の前面の、バッフル板５２−１−（ｎ＋１）、上蓋５３−１−（ｎ＋１）、下蓋５４−１−（ｎ＋１）、およびモニタ装置１１−（ｎ＋１）の裏面で仕切られる空間とが、開口部５５−３−ｎおよび開口部５５−１−（ｎ＋１）で繋がるように、合わさって、１つの空間が形成されることになる。
【００７２】
隙間ｗの体積は、スピーカユニット５１−３−ｎの前面の空間とスピーカユニット５１−１−（ｎ＋１）の前面の空間とが合わさって形成される空間（図中、ＡＢＣＤＥＦで示される空間）の体積に比較して十分小さくされる。
【００７３】
スピーカユニット５１−３−ｎおよびスピーカユニット５１−１−（ｎ＋１）の前面の空間は、隙間ｗを除き、全体が閉じられているので、スピーカユニット５１−３−ｎから出力された音声とスピーカユニット５１−１−（ｎ＋１）から出力された音声とは、隙間ｗから放射されることになる。
【００７４】
このとき、スピーカユニット５１−３−ｎおよびスピーカユニット５１−１−（ｎ＋１）のうち、一方だけが音声を出力すると、他方がその振動を吸収し、また、スピーカユニット５１−３−ｎとスピーカユニット５１−１−（ｎ＋１）とが異なる音声を出力すると、音声を打ち消し合ってしまうことになるので、スピーカ３１−３−ｎおよびスピーカ３１−１−（ｎ＋１）（スピーカユニット５１−３−ｎおよびスピーカユニット５１−１−（ｎ＋１））は、同じ音声、すなわち、位相および強さの一致する音声を出力する。
【００７５】
スピーカユニット５１−３−ｎから出力される音声の位相とスピーカユニット５１−１−（ｎ＋１）から出力される音声の位相とが０度乃至１８０度の範囲でずれた場合、位相の差が大きいほど、音圧が小さくなる傾向がある。
【００７６】
このようにすると、例えば、スピーカユニット５１−３−ｎの振動板が前方に移動するとき、同時に、スピーカユニット５１−１−（ｎ＋１）の振動板が前方に移動し、また、スピーカユニット５１−３−ｎの振動板が後方に移動するとき、同時に、スピーカユニット５１−１−（ｎ＋１）の振動板が後方に移動するので、全体が閉じられているスピーカユニット５１−３−ｎおよびスピーカユニット５１−１−（ｎ＋１）の前面の空間に生じた音声は、吸収されたり、打ち消し合うことなく、隙間ｗから放射されることになる。
【００７７】
スピーカ３１−３−ｎおよびスピーカ３１−１−（ｎ＋１）に同一の音声を出力させると、図１１で示されるように、モニタ装置１１−ｎとモニタ装置１１−（ｎ＋１）との隙間ｗから、モニタ装置１１−ｎおよびモニタ装置１１−（ｎ＋１）の前方に音声が放射される。
【００７８】
また、スピーカ３１−４−ｎおよびスピーカ３１−２−（ｎ＋１）に同一の音声を出力させると、同様に、モニタ装置１１−ｎとモニタ装置１１−（ｎ＋１）との隙間ｗから、モニタ装置１１−ｎおよびモニタ装置１１−（ｎ＋１）の前方に音声が放射される。
【００７９】
図１２は、モニタ装置１１における音声処理部の構成の一例を示す図である。モニタ装置１１の音声処理部は、チューナ９１、セレクタ９２、モニタ間接続インタフェース９３、制御部９４、アンプリファイア９５−１、アンプリファイア９５−２、および受光部９６から構成される。
【００８０】
チューナ９１は、放送されている番組を受信して、受信した番組の音声の右チャンネルの音声信号および左チャンネルの音声信号をセレクタ９２およびモニタ間接続インタフェース９３に供給する。
【００８１】
セレクタ９２は、制御部９４の制御に基づいて、モニタ間接続インタフェース９３を介して他のモニタ装置１１から供給された、右チャンネルの音声信号若しくは左チャンネルの音声信号、またはチューナ９１から供給された左チャンネルの音声信号のうちの、１つのチャンネルの音声信号を選択して、選択した音声信号をアンプリファイア９５−１に供給する。また、セレクタ９２は、制御部９４の制御に基づいて、モニタ間接続インタフェース９３を介して他のモニタ装置１１から供給された、右チャンネルの音声信号若しくは左チャンネルの音声信号、またはチューナ９１から供給された右チャンネルの音声信号のうちの、１つのチャンネルの音声信号を選択して、選択した音声信号をアンプリファイア９５−２に供給する。
【００８２】
モニタ間接続インタフェース９３は、チューナ９１から供給された音声信号を他のモニタ装置１１に送信し、また、他のモニタ装置１１から供給された音声信号をセレクタ９２に供給する。モニタ間接続インタフェース９３は、例えば、IEEE（Institute of Electrical and Electronic Engineers）1394またはUSB（Universal Serial Bus）などの規格に準拠して、他のモニタ装置１１に音声信号を供給するか、または他のモニタ装置１１から音声信号を取得する。
【００８３】
制御部９４は、リモートコントローラ９７から送信され、受光部９６において受信された指令に基づいて、セレクタ９２の音声信号の選択を制御する。
【００８４】
アンプリファイア９５−１は、セレクタ９２によって選択され供給されてきた音声信号を基に、スピーカ３１−１およびスピーカ３１−２を駆動する。アンプリファイア９５−２は、セレクタ９２によって選択され供給されてきた音声信号を基に、スピーカ３１−３およびスピーカ３１−４を駆動する。
【００８５】
なお、チューナ９１からの音声信号に限らず、所定の規格に準拠した接続端子を介して外部の機器から画像信号と共に供給された音声信号を、チューナ９１からの音声信号に代えてセレクタ９２またはモニタ間接続インタフェース９３に供給するようにしてもよい。
【００８６】
また、他のモニタ装置１１との間で、アナログ信号の音声信号を供給するかまたは取得するようにしてもよい。
【００８７】
なお、モニタ装置１１の間で、他のモニタ装置１１に音声を出力させる音声信号だけを伝送するようにしても、接続されているモニタ装置１１のそれぞれの音声信号を並列して伝送し、複数の音声信号から１つの音声信号を選択するようにしてもよい。
【００８８】
図１３は、左右に並べて配置されているモニタ装置１１−１乃至モニタ装置１１−３から出力される音声を説明する図である。
【００８９】
モニタ装置１１−１乃至モニタ装置１１−３が左から順に配置され、モニタ装置１１−２の音声をモニタ装置１１−１乃至モニタ装置１１−３で出力する場合を説明する。この場合、モニタ装置１１−２の音声の音声信号は、モニタ装置１１−１およびモニタ装置１１−３に供給される。
【００９０】
モニタ装置１１−２のセレクタ９２は、モニタ装置１１−２のチューナ９１の左チャンネルの音声信号を選択して、モニタ装置１１−２のアンプリファイア９５−１に供給する。モニタ装置１１−２のセレクタ９２は、モニタ装置１１−２のチューナ９１の右チャンネルの音声信号を選択して、モニタ装置１１−２のアンプリファイア９５−２に供給する。モニタ装置１１−１のセレクタ９２は、モニタ装置１１−１のモニタ間接続インタフェース９３を介してモニタ装置１１−２から供給された音声信号のうち、左チャンネルの音声信号（すなわち、モニタ装置１１−２のチューナ９１の左チャンネルの音声信号）を選択して、モニタ装置１１−１のアンプリファイア９５−１およびアンプリファイア９５−２に供給する。さらに、モニタ装置１１−３のセレクタ９２は、モニタ装置１１−３のモニタ間接続インタフェース９３を介してモニタ装置１１−２から供給された音声信号のうち、右チャンネルの音声信号（すなわち、モニタ装置１１−２のチューナ９１の右チャンネルの音声信号）を選択して、モニタ装置１１−３のアンプリファイア９５−１およびアンプリファイア９５−２に供給する。
【００９１】
正面から向かってモニタ装置１１−２の右側に配置されているスピーカ３１−３−２およびスピーカ３１−４−２は、モニタ装置１１−２の音声のうち、右チャンネルの音声を出力する。正面から向かってモニタ装置１１−２の左側に配置されているスピーカ３１−１−２およびスピーカ３１−２−２は、モニタ装置１１−２の音声のうち、左チャンネルの音声を出力する。
【００９２】
正面から向かってモニタ装置１１−１の右側に配置されているスピーカ３１−３−１およびスピーカ３１−４−１は、モニタ装置１１−２の音声のうち、左チャンネルの音声を出力する。
【００９３】
モニタ装置１１−２のスピーカ３１−１−２と、モニタ装置１１−１のスピーカ３１−３−１とは、図１０で示される状態で、対向して配置される。
【００９４】
モニタ装置１１−２のスピーカ３１−１−２、およびモニタ装置１１−１のスピーカ３１−３−１は、同じ音声である、モニタ装置１１−２のチューナ９１の左チャンネルの音声を出力するので、モニタ装置１１−１とモニタ装置１１−２との隙間ｗから、モニタ装置１１−２のチューナ９１の左チャンネルの音声が放射されることになる。
【００９５】
同様に、モニタ装置１１−２のスピーカ３１−２−２と、モニタ装置１１−１のスピーカ３１−４−１とは、図１０で示される状態で、対向して配置される。この場合も、モニタ装置１１−２のスピーカ３１−２−２、およびモニタ装置１１−１のスピーカ３１−４−１は、同じ音声である、モニタ装置１１−２の左チャンネルの音声を出力するので、モニタ装置１１−１とモニタ装置１１−２との隙間ｗから、モニタ装置１１−２の左チャンネルの音声が放射されることになる。
【００９６】
また、正面から向かってモニタ装置１１−１の左側に配置されているスピーカ３１−１−１およびスピーカ３１−２−１は、モニタ装置１１−２の音声のうち、左チャンネルの音声を出力する。正面から向かってモニタ装置１１−１の左側に配置されているスピーカ３１−１−１およびスピーカ３１−２−１からも、モニタ装置１１−２の左チャンネルの音声が出力されるので、モニタ装置１１−２の左チャンネルの音声がより聞きやすくなる。
【００９７】
正面から向かってモニタ装置１１−３の左側に配置されているスピーカ３１−１−３およびスピーカ３１−２−３は、モニタ装置１１−２の音声のうち、右チャンネルの音声を出力する。
【００９８】
モニタ装置１１−２のスピーカ３１−３−２と、モニタ装置１１−３のスピーカ３１−１−３とは、図１０で示される状態で、対向して配置される。モニタ装置１１−２のスピーカ３１−３−２、およびモニタ装置１１−３のスピーカ３１−１−３は、同じ音声である、モニタ装置１１−２の右チャンネルの音声を出力するので、モニタ装置１１−２とモニタ装置１１−３との隙間ｗから、モニタ装置１１−２の右チャンネルの音声が放射されることになる。
【００９９】
同様に、モニタ装置１１−２のスピーカ３１−４−２と、モニタ装置１１−３のスピーカ３１−２−３とは、図１０で示される状態で、対向して配置される。モニタ装置１１−２のスピーカ３１−４−２、およびモニタ装置１１−３のスピーカ３１−２−３は、同じ音声である、モニタ装置１１−２の右チャンネルの音声を出力するので、モニタ装置１１−２とモニタ装置１１−３との隙間ｗから、モニタ装置１１−２の右チャンネルの音声が放射されることになる。
【０１００】
また、正面から向かってモニタ装置１１−３の右側に配置されているスピーカ３１−３−３およびスピーカ３１−４−３は、モニタ装置１１−２の音声のうち、右チャンネルの音声を出力する。正面から向かってモニタ装置１１−３の右側に配置されているスピーカ３１−３−３およびスピーカ３１−４−３からも、モニタ装置１１−２の右チャンネルの音声が出力されるので、モニタ装置１１−２の右チャンネルの音声がより聞きやすくなる。
【０１０１】
このように、対向して配置されるスピーカ３１が同じ音声を出力するように、セレクタ９２は、音声信号を選択する。
【０１０２】
ステレオ音声の場合、左右のチャンネルの音声の位相は、必ずしも一致しているわけではなく、このような場合、対向して配置されるスピーカから左右のチャンネルの音声が出力されると、音声が打ち消されてしまうが、本発明において、対向して配置されるスピーカ３１が同じ音声を出力するので、音声が小さくなってしまうことが防止される。
【０１０３】
図１４は、出力音声選択の処理を説明するフローチャートである。ステップＳ１１において、制御部９４は、自分が表示している画像に対応する音声を出力するか否かを判定する。例えば、ステップＳ１１において、制御部９４は、受光部９６からの指令を基に、チューナ９１から供給された音声信号を基にスピーカ３１−１乃至スピーカ３１−４から音声を出力するか否かを判定する。
【０１０４】
ステップＳ１１において、自分が表示している画像に対応する音声を出力しないと判定された場合、他のモニタ装置１１に表示されている画像に対応する音声を出力する、すなわち、他のモニタ装置１１から供給されてきた音声信号を基に音声を出力するので、ステップＳ１２に進み、制御部９４は、それぞれのモニタ装置１１の配置を示す予め記憶されているデータまたは他のモニタ装置１１から供給される配置を示すデータなどを基に、画像と音声と対応させて出力する他のモニタ装置１１であって、出力する音声の音声信号を供給してくる他のモニタ装置１１に対する自分の位置を取得する。
【０１０５】
例えば、ステップＳ１２において、制御部９４は、モニタ間接続インタフェース９３を介して他のモニタ装置１１と通信し、他のモニタ装置１１と自分との接続の順序を示すデータを取得することにより、出力する音声の音声信号を供給してくる他のモニタ装置１１に対する自分の位置を取得するようにしてもよい。また、例えば、ステップＳ１２において、制御部９４は、予め記憶されている、モニタ装置１１を特定すると共にその順序を示すデータおよび受光部９６からの所定のモニタ装置１１に音声の出力を指示する指令を基に、自分の位置と、音声の出力が指示されたモニタ装置１１である、出力する音声の音声信号を供給してくる他のモニタ装置１１の位置とを特定して、出力する音声の音声信号を供給してくる他のモニタ装置１１に対する自分の位置を取得する。
【０１０６】
ステップＳ１３において、制御部９４は、画像と音声と対応させて出力する他のモニタ装置１１に対して自分が右側に配置されているか否かを判定する。ステップＳ１３において、画像と音声と対応させて出力する他のモニタ装置１１に対して自分が右側に配置されていると判定された場合、ステップＳ１４に進み、セレクタ９２に、モニタ間接続インタフェース９３を介して供給された、画像と音声と対応させて出力する他のモニタ装置１１から供給されてきた音声信号のうち、右チャンネルの音声信号を選択させ、アンプリファイア９５−１およびアンプリファイア９５−２に選択した音声信号を供給させて、処理は終了する。
【０１０７】
この場合、スピーカ３１−１乃至スピーカ３１−４は、自分に対して左側に配置されている他のモニタ装置１１から供給されてきた音声信号のうち、右チャンネルの音声信号に応じた音声を出力する。すなわち、スピーカ３１−１乃至スピーカ３１−４は、自分に対して左側に配置されている他のモニタ装置１１から出力される音声であって、隣接する側で出力される音声と同じ音声を出力する。
【０１０８】
ステップＳ１３において、画像と音声と対応させて出力する他のモニタ装置１１に対して自分が右側に配置されていない、すなわち、自分が左側に配置されていると判定された場合、ステップＳ１５に進み、制御部９４は、セレクタ９２に、モニタ間接続インタフェース９３を介して供給された、画像と音声と対応させて出力する他のモニタ装置１１から供給されてきた音声信号のうち、左チャンネルの音声信号を選択させ、アンプリファイア９５−１およびアンプリファイア９５−２に選択した音声信号を供給させて、処理は終了する。
【０１０９】
この場合、スピーカ３１−１乃至スピーカ３１−４は、自分に対して右側に配置されている他のモニタ装置１１から供給されてきた音声信号のうち、左チャンネルの音声信号に応じた音声を出力する。すなわち、スピーカ３１−１乃至スピーカ３１−４は、自分に対して右側に配置されている他のモニタ装置１１から出力される音声であって、隣接する側で出力される音声と同じ音声を出力する。
【０１１０】
ステップＳ１１において、自分が表示している画像に対応する音声を出力すると判定された場合、ステップＳ１６に進み、制御部９４は、セレクタ９２に、自分の音声をそのチャンネルのまま選択させて、処理は終了する。すなわち、ステップＳ１６において、制御部９４は、セレクタ９２に、チューナ９１から供給された音声信号のうち、右チャンネルの音声信号を選択させ、アンプリファイア９５−１に右チャンネルの音声信号を供給させると共に、チューナ９１から供給された音声信号のうち、左チャンネルの音声信号を選択させ、アンプリファイア９５−２に左チャンネルの音声信号を供給させる。
【０１１１】
この場合、スピーカ３１−１およびスピーカ３１−２は、自分が表示している画像に対応する音声のうち、左チャンネルの音声を出力する。スピーカ３１−３およびスピーカ３１−４は、自分が表示している画像に対応する音声のうち、右チャンネルの音声を出力する。
【０１１２】
このように、隣り合うモニタ装置１１の隙間から音声を出力することができる。１つのモニタ装置１１でも音声を出力することができる。
【０１１３】
モニタ装置１１を縦または横に隣接して配置しても、より大きな音量の音声を出力することができる。
【０１１４】
以上のように、モニタ装置１１を縦または横に隣接して配置した場合、表示される画像の隙間をより小さくすると共に、画面の近傍から聞き取りやすい音声を出力することができる。
【０１１５】
なお、モニタ装置１１に、それぞれ４つのスピーカ３１−１乃至スピーカ３１−４を設けると説明したが、これに限らず、１台のモニタ装置に、１つ、２つ、または５つ以上など所望の数のスピーカ３１を設けるようにしてもよい。
【０１１６】
このように、画像を表示する表示面の後側に、スピーカユニットを設けるようにした場合には、音声を出力することができる。また、画像を表示する表示面の後側に、スピーカユニットを前向きに配置し、スピーカユニットが固定されるバッフル板を、スピーカユニットを挟む両側の端部のうち、一方の端部が表示面の裏面に接し、他方の端部が表示面の端部との間に開口部を形成するように、表示面に対し所定の角度で配置し、第１の蓋が、開口部を形成するとともに、表示面の裏面とバッフル板とに接し、表示面の裏面とバッフル板との間の空間を仕切る１つの面を閉じ、第２の蓋が、開口部を形成するとともに、表示面の裏面とバッフル板とに接し、空間を仕切る面のうち、第１の蓋で閉じられる面に対向する面を閉じるようにした場合には、画像の隙間をより小さくするとともに、画面の近傍から聞き取りやすい音声を出力することができる。
【０１１７】
また、前向きにスピーカユニットを固定するバッフル板を、スピーカユニットを挟む両側の端部のうち、一方の端部が表示装置の裏面に接し、他方の端部が表示装置の端部との間に開口部を形成するように、表示装置の裏面に対し所定の角度で配置し、第１の蓋が、開口部を形成するとともに、表示装置の裏面とバッフル板とに接し、表示装置の裏面とバッフル板との間の空間を仕切る１つの面を閉じ、第２の蓋が、開口部を形成するとともに、表示装置の裏面とバッフル板とに接し、空間を仕切る面のうち、第１の蓋で閉じられる面に対向する面を閉じるようにした場合には、画像の隙間をより小さくするとともに、画面の近傍から聞き取りやすい音声を出力することができる。
【図面の簡単な説明】
【０１１８】
【図１】従来のテレビジョン受像機のスピーカを説明する図である。
【図２】左右および上下に並べた、従来のテレビジョン受像機を示す図である。
【図３】本発明の一実施の形態のモニタ装置が配列された状態を示す図である。
【図４】モニタ装置の裏面図である。
【図５】モニタ装置の上面図である。
【図６】モニタ装置の側面図である。
【図７】スピーカの構造を説明する図である。
【図８】モニタ装置の裏面に設けられるカバーを説明する図である。
【図９】横に隣接するように並べられたモニタ装置の音声の出力を説明する図である。
【図１０】横に隣接するように並べられたモニタ装置のスピーカの配置を説明する図である。
【図１１】横に隣接するように並べられたモニタ装置から放射される音声を説明する図である。
【図１２】モニタ装置における音声処理部の構成の一例を示す図である。
【図１３】左右に並べて配置されているモニタ装置から出力される音声を説明する図である。
【図１４】出力音声選択の処理を説明するフローチャートである。
【符号の説明】
【０１１９】
１１−１乃至１１−９，１１  モニタ装置，  ３１−１乃至３１−４，３１  スピーカ，  ５１  スピーカユニット，  ５２  バッフル板，  ５３  上蓋，  ５４  下蓋，  ５５  開口部，  ５６  内横蓋，  ９１  チューナ，  ９２  セレクタ，  ９３  モニタ間接続インタフェース，  ９４  制御部，  ９５−１および９５−２  アンプリファイア
【図１】
2007110583.tif 000003
【図２】
2007110583.tif 000004
【図３】
2007110583.tif 000005
【図４】
2007110583.tif 000006
【図５】
2007110583.tif 000007
【図６】
2007110583.tif 000008
【図７】
2007110583.tif 000009
【図８】
2007110583.tif 000010
【図９】
2007110583.tif 000011
【図１０】
2007110583.tif 000012
【図１１】
2007110583.tif 000013
【図１２】
2007110583.tif 000014
【図１３】
2007110583.tif 000015
【図１４】
2007110583.tif 000016